(57)【特許請求の範囲】
【請求項１】
室内機と室外機との間で熱交換用の冷媒を循環させるように構成された空気調和機において、
前記冷媒の漏洩を検出する冷媒検出センサと、
前記冷媒検出センサの検出値に応じて、前記冷媒検出センサが前記冷媒の漏洩を検出する検出判定値を補正する判定値補正部と、
を有し、
前記判定値補正部は、前記冷媒検出センサの前記検出値が、一時的に増加する場合、前記検出判定値を、前記検出値に応じて増加させる補正を行う、空気調和機。
【請求項２】
室内機と室外機との間で熱交換用の冷媒を循環させるように構成された空気調和機において、
前記冷媒の漏洩を検出する冷媒検出センサと、
前記冷媒検出センサの検出値に応じて、前記冷媒検出センサが前記冷媒の漏洩を検出する検出判定値を補正する判定値補正部と、
前記検出判定値よりも低い値の第１判定値と、当該第１判定値よりも低い値の第２判定値とを算出する判定値算出部と、
を有し、
前記判定値補正部は、前記冷媒検出センサの前記検出値が、前記判定値算出部で算出された前記第１判定値以上となる期間が第１判定期間未満であると共に、その後、前記第２判定値未満となる場合、前記検出値に応じて前記検出判定値を補正する、空気調和機。
【請求項３】
室内機と室外機との間で熱交換用の冷媒を循環させる空気調和機の制御方法において、
前記冷媒の漏洩を検出する冷媒漏洩検出ステップと、
前記冷媒漏洩検出ステップで検出した検出値に応じて、前記冷媒の漏洩を検出する検出判定値を補正する判定値補正ステップと、
を有し、
前記判定値補正ステップは、前記冷媒漏洩検出ステップで検出した前記検出値が、一時的に増加する場合、前記検出判定値を、前記検出値に応じて増加させる補正を行う、空気調和機の制御方法。
【請求項４】
室内機と室外機との間で熱交換用の冷媒を循環させる空気調和機の制御方法において、
前記冷媒の漏洩を検出する冷媒漏洩検出ステップと、
前記冷媒漏洩検出ステップで検出した検出値に応じて、前記冷媒の漏洩を検出する検出判定値を補正する判定値補正ステップと、
前記検出判定値よりも低い値の第１判定値と、当該第１判定値よりも低い値の第２判定値とを算出する判定値算出ステップと、
を有し、
前記判定値補正ステップは、前記冷媒漏洩検出ステップでの前記検出値が、前記判定値算出ステップで算出された前記第１判定値以上となる期間が第１判定期間未満であると共に、その後、前記第２判定値未満となる場合、前記検出値に応じて前記検出判定値を補正する、空気調和機の制御方法。
【発明の詳細な説明】
【技術分野】
【０００１】
本発明は、空気調和機および空気調和機の制御方法に関する。
【背景技術】
【０００２】
近年、環境負荷を少なくするため、代替フロンガスを冷媒として用いた空気調和機が開発されている。このような冷媒として、例えば、ハイドロフルオロカーボン（ＨＦＣ）類のＲ３２などの微燃性冷媒が用いられる。【０００３】
空気調和機に微燃性冷媒を用いた場合、微燃性冷媒の漏洩に起因した発火の恐れがある。このため、この種の空気調和機では、冷媒検出センサを用いて微燃性冷媒の漏洩を高精度に検知する必要がある。しかしながら、冷媒検出センサが設置される周囲環境や経年劣化などにより、冷媒検出センサの検出値が変動することがあり、このような場合、微燃性冷媒の漏洩を適切に検出できない恐れがある。【０００４】
特許文献１には、冷媒検出センサを有する空気調和機において、室内の空気が撹拌されているか否かを判定し、撹拌されていると判定した場合、冷媒検出センサの検出判定値を第１判定値に設定し、撹拌されていないと判定した場合、冷媒検出センサの検出判定値を第１判定値よりも低い第２判定値に設定して、微燃性冷媒の漏洩を検出する空気調和機が開示されている。
【先行技術文献】
【特許文献】
【０００５】
【特許文献１】特開２０１７−５３５１７号公報
【発明の概要】
【発明が解決しようとする課題】
【０００６】
しかしながら、特許文献１に開示された空気調和機では、冷媒検出センサが設置される周囲環境に起因して検出値が変動する場合や、冷媒検出センサの経年劣化により検出値が変動する場合には、微燃性冷媒の漏洩を適切に検出できない恐れがある。【０００７】
したがって本発明は、上記課題に鑑みてなされたもので、冷媒検出センサを有する空気調和機において、冷媒検出センサが設置される周囲環境に起因してセンサ検出値が変動する場合や、冷媒検出センサの経年劣化によりセンサ検出値が変動する場合でも、冷媒の漏洩を適切に検出できるようにすることを目的とする。
【課題を解決するための手段】
【０００８】
上記課題を解決するため、室内機と室外機との間で熱交換用の冷媒を循環させるように構成された空気調和機において、冷媒の漏洩を検出する冷媒検出センサと、冷媒検出センサの検出値に応じて、冷媒検出センサが冷媒の漏洩を検出する検出判定値を補正する判定値補正部と、を有する構成とした。
【発明の効果】
【０００９】
本発明によれば、冷媒検出センサを有する空気調和機において、冷媒検出センサが設置される周囲環境に起因してセンサ検出値が変動する場合や、冷媒検出センサの経年劣化によりセンサ検出値が変動する場合でも、冷媒の漏洩を適切に検出することができる。
【図面の簡単な説明】
【００１０】
【図１】実施の形態にかかる空気調和機の建物への設置の一例を説明する模式図である。
【図２】制御装置の機能を説明するブロック図である。
【図３】判定値補正部による初期判定値の補正方法の一例を説明する図である。
【図４】判定値補正部による初期判定値の補正方法の一例を説明する図である。
【図５】判定値補正部による初期判定値の補正方法の一例を説明する図である。
【図６】制御装置による空気調和機の制御方法を説明するフローチャートである。
【発明を実施するための形態】
【００１１】
［空気調和機］
以下、本発明の実施の形態にかかる空気調和機１を説明する。
図１は、実施の形態にかかる空気調和機１の建物２００への設置の一例を説明する模式図である。
図２は、制御装置１１０の機能を説明するブロック図である。
【００１２】
図１に示すように、空気調和機１は、建物２００の室内２１０に設けられた室内機１０と、室外２２０に設けられた室外機２０と、室内機１０と室外機２０との間を循環する冷媒Ｒの漏洩を検出する冷媒検出センサ３０と、空気調和機１を遠隔操作するリモコン４０と、を有する。室内機１０と室外機２０との間は、冷媒配管６０で接続されており、この冷媒配管６０を冷媒Ｒが循環することで、空気調和機１の冷凍サイクルが構成される。
【００１３】
例えば、冷媒配管６０を循環する冷媒Ｒとして、代替フロンのハイドロフルオロカーボン（ＨＦＣ）類のＲ３２などの微燃性冷媒が用いられる。この種の冷媒Ｒが、室内２１０に漏洩して所定の濃度以上となった場合、火炎源（例えば、ライターの火炎など）からの火炎が室内２１０で伝播する恐れがある。
【００１４】
そのため、冷媒配管６０の途中位置には、遮断弁５０（５１、５２）が設けられており、冷媒検出センサ３０により冷媒Ｒの漏洩を検出した場合、遮断弁５１、５２で冷媒配管６０内の冷媒Ｒを通流する冷媒Ｒを遮断して、冷媒Ｒの漏洩を抑えることができる。
【００１５】
また、建物２００には、換気装置２３０が設けられている。この換気装置２３０により室内空気の換気を行うことで、室内２１０の冷媒濃度を下げることができる。
【００１６】
［制御装置］
図２に示すように、室内機１０には、空気調和機１を制御する制御装置１１０が設けられている。制御装置１１０は、運転情報取得部１１１と、濃度算出部１１２と、濃度判定値算出部１１３と、判定値補正部１１４と、漏洩状態判定部１１５と、出力処理部１１６と、を有している。制御装置１１０は、空気調和機１の全体制御を行うための制御プログラムや、各種パラメータを記憶する記憶装置１１に接続されており、ＣＰＵ（図示せず）が、記憶装置１１に記憶された制御プログラムを実行することで、以下で説明する各機能が実現される。また、制御装置１１０は、通信装置１２に接続されており、この通信装置１２を介して、冷媒検出センサ３０に接続されている。
【００１７】
運転情報取得部１１１は、空気調和機１の冷暖房運転などの運転情報を取得する。
【００１８】
濃度算出部１１２は、冷媒検出センサ３０の出力信号に基づいて、室内２１０における冷媒Ｒの濃度Ｃ（以下、センサ検出値Ｃｄと言うこともある）を算出する。また、濃度算出部１１２は、過去の所定期間に算出した複数のセンサ検出値Ｃｄを記憶装置１１に記憶する。
【００１９】
濃度判定値算出部１１３は、室内２１０の空間容積や、換気装置２３０の有無、換気装置２３０の設置場所などの設計情報に基づいて、室内２１０における冷媒Ｒの濃度Ｃの許容上限判定値Ｃｊｕと、初期判定値Ｃｊｏとを算出及び設定する。ここで、許容上限判定値Ｃｊｕは、少なくとも、ＩＳＯ８１７（冷媒の安全等級）で規定された、冷媒と空気とが均等に混合された状態で、火炎を伝播することが可能な最小冷媒濃度（燃焼限界ＬＦＬ：Ｌｏｗｅｒ  Ｆｌａｍｍａｂｉｌｉｔｙ  Ｌｉｍｉｔ）の１／４よりも小さい値が設定されている。これは、冷媒検出センサ３０での冷媒検知遅れや、冷媒濃度分布などを想定した安全率を考慮した冷媒濃度検出の上限値である。また、初期判定値Ｃｊｏは、初期の冷媒濃度検出に用いる判定値であり、火炎伝播の安全性を考慮して、許容上限判定値Ｃｊｕよりも低い値が設定されている。例えば、初期判定値Ｃｊｏは、１／８ＬＦＬの値が設定されている。実施の形態では、制御装置１１０は、安全性を考慮して、室内２１０の冷媒Ｒの濃度Ｃが初期判定値Ｃｊｏ以上となった場合、冷媒Ｒの漏洩が発生したと判定する。
【００２０】
また、濃度判定値算出部１１３は、室内２１０における冷媒Ｒの濃度Ｃの一時的な増加を判定するために、初期判定値Ｃｊｏよりも小さい値の第１判定値Ｃｊｏ１と、第１判定値Ｃｊｏ１よりも小さい値の第２判定値Ｃｊｏ２とを算出及び設定する（図５参照）。これにより、冷媒検出センサ３０のセンサ検出値Ｃｄが、第１判定値Ｃｊｏ１以上となると共に、第１判定値Ｃｊｏ１以上となる期間Ｔ（例えば、Ｔ１、Ｔ２、Ｔ３）が所定期間Ｔｔｈ以下であり、その後、第２判定値Ｃｊｏ２以下となった場合に、当該センサ検出値Ｃｄの増加は、経時的な変動ではなく、一時的なものと判定することができる（図５参照）。
【００２１】
なお、前述した許容上限判定値Ｃｊｕ、初期判定値Ｃｊｏ、第１判定値Ｃｊｏ１、第２判定値Ｃｊｏ２は、制御装置１１０（室内機１０）の外部に設けられたリモコン４０により、遠隔操作で設定されるようにしてもよい。
【００２２】
判定値補正部１１４は、冷媒検出センサ３０で検出された冷媒Ｒの濃度Ｃ（センサ検出値Ｃｄ）に基づいて、前述した濃度判定値算出部１１３で算出及び設定された初期判定値Ｃｊｏを補正する。判定値補正部１１４による初期判定値Ｃｊｏの補正方法については後述する。
【００２３】
漏洩状態判定部１１５は、冷媒検出センサ３０で検出された冷媒Ｒの濃度Ｃ（センサ検出値Ｃｄ）と、許容上限判定値Ｃｊｕ、初期判定値Ｃｊｏとに基づいて、室内２１０における冷媒Ｒの漏洩の有無を判定する。例えば、漏洩状態判定部１１５は、冷媒検出センサ３０で検出された冷媒Ｒの濃度Ｃ（センサ検出値Ｃｄ）が、初期判定値Ｃｊｏ以上である場合、室内２１０において、冷媒Ｒの漏洩が発生していると判定し、濃度Ｃ（センサ検出値Ｃｄ）が初期判定値Ｃｊｏ未満である場合、室内２１０において、冷媒Ｒの漏洩が発生していないと判定する。
【００２４】
出力処理部１１６は、漏洩状態判定部１１５で判定した冷媒Ｒの漏洩状態を、外部の報知装置（図示せず）に出力するための処理を行う。例えば、出力処理部１１６は、室内２１０における冷媒Ｒの漏洩が発生していると判定した場合、外部に設けられたディスプレイやスピーカなどの報知装置に対し、冷媒Ｒの漏洩を知らせる制御値を出力する。これにより、報知装置は、冷媒Ｒの漏洩を外部に報知するための表示や音声、警告音などを出力する。
【００２５】
［判定値の補正方法］
次に、前述した判定値補正部１１４による初期判定値Ｃｊｏの補正方法を説明する。
【００２６】
図３は、判定値補正部１１４による初期判定値Ｃｊｏの補正方法の一例を説明する図である。図３では、横軸を時間（Ｔ）、縦軸を冷媒検出センサ３０で検出した冷媒濃度ＣＶｏｌ（％）とした場合の、冷媒検出センサ３０のセンサ検出値Ｃｄが、経時的に上昇変動する場合を示している。
【００２７】
図３に示すように、制御装置１１０では、濃度判定値算出部１１３により、室内２１０の設計情報などに基づいて、許容上限判定値Ｃｊｕと、初期判定値Ｃｊｏとが算出及び設定されている。実施の形態では、許容上限判定値Ｃｊｕとして、ＩＳＯ８１７で規定されたＲ３２（Ａ２Ｌ）の１／４ＬＦＬよりも小さい値が設定され、初期判定値Ｃｊｏとして、１／８ＬＦＬの値が設定されている。
【００２８】
制御装置１１０では、濃度算出部１１２により、冷媒検出センサ３０で検出された室内２１０における冷媒Ｒの濃度Ｃ（センサ検出値Ｃｄ）が一定周期毎に算出されている。実施の形態では、センサ検出値Ｃｄは、冷媒検出センサ３０の経年劣化などにより、経時的に上昇変動している。そのため、センサ検出値Ｃｄの所定期間における平均値ＣｄＡは、右肩上がりの傾きを有する直線で表すことができる（図３参照）。
【００２９】
ここで、センサ検出値Ｃｄは、経時的に上昇変動するので、所定時間Ｔａ経過後には、初期判定値Ｃｊｏ以上となり、実際には冷媒Ｒの漏洩がないにも関わらず漏洩が発生していると誤検出されてしまう可能性がある。そのため、本発明では、判定値補正部１１４は、所定時間Ｔａを経過したと判定した場合、記憶装置１１に記憶された過去の所定期間でのセンサ検出値Ｃｄの平均値ＣｄＡを、初期判定値Ｃｊｏに加算する補正を行うことで補正判定値Ｃｊｃを算出及び設定する（図３の矢印参照）。なお、補正判定値Ｃｊｃが、許容上限判定値Ｃｊｕ以上となると、実際には、室内２１０における冷媒Ｒの濃度Ｃ（センサ検出値Ｃｄ）が、許容上限判定値Ｃｊｕ以上となっており、火炎の伝播が生じ得る危険性があるにもかかわらず、漏洩状態判定部１１５は、センサ検出値Ｃｄが補正判定値Ｃｊｃ以下であるために、冷媒Ｒの漏洩を判定しない誤判定を行う可能性があるので、安全性を考慮し、補正判定値Ｃｊｃは、許容上限判定値Ｃｊｕ未満の範囲で設定される。
【００３０】
この結果、制御装置１１０では、経年劣化によるセンサ検出値Ｃｄの上昇変動に応じて、初期判定値Ｃｊｏを上げる補正が行われるので、冷媒Ｒの漏洩がない場合には、センサ検出値Ｃｄは、所定時間Ｔａ経過後も補正判定値Ｃｊｃ以上となることはなく、冷媒Ｒの漏洩を適切に判定することができる。
【００３１】
一方、冷媒検出センサ３０の経年劣化（冷媒Ｒとの接触部分の詰まり）などにより、センサ検出値Ｃｄが経時的に減少変動することがあり、この場合、制御装置１１０では、実際には冷媒Ｒが漏洩しているにも関わらず、漏洩していないと判定する検出遅れを生じてしまうことがある。そのため、センサ検出値Ｃｄが経時的に減少変動する場合にも、判定値を適切に補正する必要がある。次に、冷媒検出センサ３０のセンサ検出値Ｃｄが経時的に減少変動する場合の判定値の補正方法を説明する。
【００３２】
図４は、判定値補正部１１４による初期判定値Ｃｊｏの補正方法を説明する図である。図４では、横軸を時間（Ｔ）、縦軸を冷媒検出センサ３０で検出した冷媒濃度ＣＶｏｌ（％）とした場合の、冷媒検出センサ３０のセンサ検出値Ｃｄが、経時的に減少変動する場合を示している。
【００３３】
図４に示すように、制御装置１１０では、濃度判定値算出部１１３により、室内２１０の設計情報などに基づいて、許容上限判定値Ｃｊｕと、初期判定値Ｃｊｏとが算出及び設定されている。実施の形態では、許容上限判定値Ｃｊｕとして、ＩＳＯ８１７で規定されたＲ３２（Ａ２Ｌ）の１／４ＬＦＬよりも小さい値が設定され、初期判定値Ｃｊｏとして、１／８ＬＦＬの値が設定されている。
【００３４】
制御装置１１０では、濃度算出部１１２により、冷媒検出センサ３０で検出された室内２１０における冷媒Ｒの濃度Ｃ（センサ検出値Ｃｄ）が一定周期毎に算出されている。実施の形態では、センサ検出値Ｃｄは、冷媒検出センサ３０の経年劣化により、経時的に減少変動している。そのため、センサ検出値Ｃｄの所定期間における平均値ＣｄＡは、右肩下がりの傾きを有する直線で表すことができる（図４参照）。
【００３５】
ここで、センサ検出値Ｃｄは、経時的に減少変動するので、所定時間Ｔａが経過した後には、初期判定値Ｃｊｏとの差が大きくなる結果、実際には冷媒Ｒが漏洩しているにも関わらず漏洩が発生していないと誤判定されてしまう可能性がある。そのため、本発明では、判定値補正部１１４は、所定時間Ｔａが経過した後において、記憶装置１１に記憶された過去の所定期間でのセンサ検出値Ｃｄの平均値ＣｄＡを、初期判定値Ｃｊｏから減算する補正を行うことで補正判定値Ｃｊｃを算出及び設定する（図４の矢印参照）。
【００３６】
この結果、制御装置１１０では、経年劣化によるセンサ検出値Ｃｄの減少変動に応じて、初期判定値Ｃｊｏを下げる補正が行われるので、冷媒Ｒの漏洩がある場合には、センサ検出値Ｃｄが補正判定値Ｃｊｃ以上となり、冷媒Ｒの漏洩を適切に検出することができる。
【００３７】
ここで、冷媒検出センサ３０は、微燃性冷媒（例えば、Ｒ３２）だけでなく、他のガス類や薬剤に反応してしまうことがある。例えば、冷媒検出センサ３０が美容院の室内などに設置された場合、美容院で使用されるヘアスプレーガスなどに反応してしまうことがある。この場合、漏洩状態判定部１１５は、美容室内でヘアスプレーが使用された結果、センサ検出値Ｃｄが、一時的に初期判定値Ｃｊｏ以上となった場合、冷媒Ｒが漏洩していないにも関わらず、冷媒Ｒの漏洩と誤判定してしまうことがある。そのため、センサ検出値Ｃｄが一時的に増加した場合にも、判定値を適切に補正することが必要となる。次に、冷媒検出センサ３０のセンサ検出値Ｃｄが一時的に増加する場合の判定値の補正方法を説明する。
【００３８】
図５は、判定値補正部１１４による初期判定値Ｃｊｏの補正方法を説明する図である。図５では、横軸を時間（Ｔ）、縦軸を冷媒検出センサ３０で検出した冷媒濃度ＣＶｏｌ（％）とした場合の、冷媒検出センサ３０の検出値Ｃｄが、一時的に増加した場合を示している。
【００３９】
図５に示すように、制御装置１１０では、濃度判定値算出部１１３により、室内２１０の設計条件などに基づいて、許容上限判定値Ｃｊｕと、初期判定値Ｃｊｏとが算出及び設定されている。実施の形態では、許容上限判定値Ｃｊｕとして、ＩＳＯ８１７で規定されたＲ３２（Ａ２Ｌ）の１／４ＬＦＬよりも小さい値が設定され、初期判定値Ｃｊｏとして、１／８ＬＦＬの値が設定されている。
【００４０】
また、濃度判定値算出部１１３により、初期判定値Ｃｊｏよりも低い値の第１判定値Ｃｊｏ１と、この第１判定値Ｃｊｏ１よりも低い値の第２判定値Ｃｊｏ２とを算出及び設定されている。第１判定値Ｃｊｏ１は、冷媒検出センサ３０が、冷媒Ｒとは異なる他のガス（例えば、ヘアスプレーガス）や薬剤などを検出した場合に、冷媒検出センサ３０から出力されるセンサ検出値Ｃｄの値が設定されている。また、第２判定値Ｃｊｏ２は、冷媒検出センサ３０が、他のガスや薬剤の検出しなくなった場合に、冷媒検出センサ３０から出力されるセンサ検出値Ｃｄの値が設定されている。これにより、制御装置１１０では、センサ検出値Ｃｄが、所定時間Ｔ（例えば、Ｔ１、Ｔ２、Ｔ３）、第１判定値Ｃｊｏ１以上となり、その後、第２判定値Ｃｊｏ２以下となった場合、センサ検出値Ｃｄは、冷媒Ｒの漏洩以外の他のガスの検出により、一時的に増加したと判断できる。
【００４１】
制御装置１１０では、濃度算出部１１２により、冷媒検出センサ３０で検出された室内２１０における冷媒Ｒの濃度Ｃ（センサ検出値Ｃｄ）が一定周期毎に算出されている。実施の形態では、センサ検出値Ｃｄは、冷媒検出センサ３０の経年劣化により、経時的に徐々に上昇変動していると共に、一時的に増加する期間（例えば、ヘアスプレーガスを３回使用）がある場合が示されている。そのため、センサ検出値Ｃｄは、経時的な上昇変動及びヘアスプレーガスの使用による一時的な増加のため、所定時間Ｔａ経過後に、初期判定値Ｃｊｏ以上となり、冷媒Ｒが漏洩していないにもかかわらず、冷媒Ｒの漏洩が発生していると誤検出されてしまう可能性がある。
【００４２】
本発明では、センサ検出値Ｃｄが一時的に増加する場合、所定時間経過後に、一時的に増加したセンサ検出値Ｃｄを、初期判定値Ｃｊｏに加算する補正を行うことで補正判定値Ｃｊｃを算出及び設定し、センサ検出値Ｃｄの一時的な増加による冷媒Ｒ漏洩の誤検出を防止している。
【００４３】
実施の形態では、センサ検出値Ｃｄは、ヘアスプレーガスの使用に起因して、複数回（例えば、３回）、一時的に増加している。判定値補正部１１４は、１回目に増加したセンサ検出値Ｃｄの平均値ＣｄＡからの偏差ΔＣｄ１、２回目に増加したセンサ検出値Ｃｄの平均値ＣｄＡからの偏差ΔＣｄ２、３回目に増加したセンサ検出値Ｃｄの平均値ＣｄＡからの偏差ΔＣｄ３が初期判定値Ｃｊｏよりも小さい第１判定値Ｃｊｏ１以上となる期間（例えば、Ｔ１、Ｔ２、Ｔ３）が、予め設定された閾値期間Ｔｔｈ未満で、その後、第１判定値Ｃｊｏ１よりも小さい第２判定値Ｃｊｏ２以下となるか否かを判定する。
【００４４】
判定値補正部１１４は、センサ検出値Ｃｄの平均値ＣｄＡからの偏差ΔＣｄ１〜ΔＣｄ３が第１判定値Ｃｊｏ１以上となる期間（例えば、Ｔ１、Ｔ２、Ｔ３）が、予め設定された閾値期間Ｔｔｈ未満で、その後、第１判定値Ｃｊｏ１よりも小さい第２判定値Ｃｊｏ２以下となる場合、当該センサ検出値Ｃｄの増加は、例えば、美容室などの室内で、一時的に使用されたヘアスプレーガスなどを検知したことによる一時的な増加であると判定する。一方、判定値補正部１１４は、センサ検出値Ｃｄの平均値ＣｄＡからの偏差ΔＣｄ１〜ΔＣｄ３が第１判定値Ｃｊｏ１以上となる期間（例えば、Ｔ１、Ｔ２、Ｔ３）が、予め設定された閾値期間Ｔｔｈ以上、又は、第１判定値Ｃｊｏ１よりも小さい第２判定値Ｃｊｏ２以下とならない場合、当該センサ検出値Ｃｄの増加は、冷媒検出センサ３０の経年劣化などによる経時的な上昇変動であると判定する。
【００４５】
なお、センサ検出値Ｃｄは、冷媒検出センサ３０の経年劣化などによる経時的な上昇変動も加わり、センサ検出値Ｃｄの所定時間Ｔａ経過後の３回目の一時的な増加（ΔＣｄ３）により、センサ検出値Ｃｄが、初期判定値Ｃｊｏ以上となり、冷媒Ｒの漏洩がないにも関わらず、冷媒Ｒの漏洩があると誤判定されてしまう。
【００４６】
そのため、判定値補正部１１４は、ヘアスプレーガスなどの影響による一時的な増加と判定したセンサ検出値Ｃｄの平均値ＣｄＡからの偏差ΔＣｄ１、ΔＣｄ２を、検出後の所定時間経過後に、それぞれ初期判定値Ｃｊｏに加算する補正を行うことにより補正判定値Ｃｊｃを算出及び設定している。実施の形態では、１回目の一時的なセンサ検出値Ｃｄの平均値ＣｄＡからの偏差ΔＣｄ１を、初期判定値Ｃｊｏに加算して補正判定値Ｃｊｃを算出及び設定し、２回目の一時的なセンサ検出値Ｃｄの平均値ＣｄＡからの偏差ΔＣｄ２を、初期判定値Ｃｊｏに加算して補正判定値Ｃｊｃを算出及び設定する。なお、補正判定値Ｃｊｃが、許容上限判定値Ｃｊｕ以上となると、火炎の伝播が起こりうる冷媒濃度の正確な判定が不可能となってしまうので、補正判定値Ｃｊｃは、許容上限判定値Ｃｊｕ未満となる範囲で設定する。
【００４７】
この結果、漏洩状態判定部１１５では、所定時間Ｔａを経過したと判定した後も、冷媒Ｒの漏洩とは異なるセンサ検出値Ｃｄの一時的な増加によっては、補正判定値Ｃｊｃ以上となることはなく、冷媒Ｒの漏洩がないにも関わらず、冷媒Ｒの漏洩が発生したと誤判定してしまうことを防止することができる。
【００４８】
［空気調和機の制御方法］
次に、前述した制御装置１１０による空気調和機１の制御方法を説明する。
【００４９】
図６は、制御装置１１０による空気調和機１の制御方法を説明するフローチャートである。
【００５０】
ステップＳ１０１において、濃度判定値算出部１１３は、許容上限判定値Ｃｊｕ（例えば、燃焼限界ＬＦＬの１／４よりも小さい値）と、初期判定値Ｃｊｏ（例えば、１／８ＬＦＬ）と、第１判定値Ｃｊｏ１と、第２判定値Ｃｊｏ２とを算出及び設定する。
【００５１】
ステップＳ１０２において、濃度算出部１１２は、冷媒検出センサ３０の出力信号に基づいて、室内２１０における冷媒Ｒの濃度Ｃ（センサ検出値Ｃｄ）を算出すると共に、過去の所定期間に算出した複数のセンサ検出値Ｃｄを記憶装置１１に記憶する。
【００５２】
ステップＳ１０３において、濃度算出部１１２は、記憶装置１１に記憶された過去の所定期間における複数のセンサ検出値Ｃｄの平均値ＣｄＡを算出する。
【００５３】
ステップＳ１０４において、判定値補正部１１４は、センサ検出値Ｃｄの平均値ＣｄＡからの偏差ΔＣｄ（＝ＣｄＡ−Ｃｄ）を算出する
【００５４】
ステップＳ１０５において、判定値補正部１１４は、偏差ΔＣｄ（例えば、図５に示す偏差ΔＣｄ１、ΔＣｄ２、ΔＣｄ３）が、第１判定値Ｃｊｏ１以上となる期間（例えば、図５に示す期間Ｔ１、Ｔ２、Ｔ３）が閾値期間Ｔｔｈ未満で、その後、第１判定値Ｃｊｏ１よりも小さい第２判定値Ｃｊｏ２以下となるか否かを判定する。判定値補正部１１４は、偏差ΔＣｄが、前述した条件を満たす場合（ステップＳ１０５：Ｙｅｓ）、ステップＳ１０６に進み、偏差ΔＣｄが、前述した条件を満たさない場合（ステップＳ１０５：Ｎｏ）、ステップＳ１０７に進む。つまり、判定値補正部１１４は、偏差ΔＣｄ１〜ΔＣｄ３が、前述した条件を満たす場合、冷媒検出センサ３０がヘアスプレーガスなどに反応して、センサ検出値Ｃｄが一時的に増加したと判定する。
【００５５】
ステップＳ１０６において、判定値補正部１１４は、所定時間経過後に、初期判定値Ｃｊｏに、ステップＳ１０５で算出した偏差ΔＣｄ１〜ΔＣｄ３を加算して、補正判定値Ｃｊｃを算出及び設定する。
【００５６】
ステップＳ１０７において、制御装置１１０は、冷媒検出センサ３０に電源投入後から所定時間Ｔａを経過したか否かを判定する。制御装置１１０は、所定時間Ｔａを経過していないと判定した場合（ステップＳ１０７：Ｎｏ）、ステップＳ１０８に進み、所定時間Ｔａを経過したと判定した場合（ステップＳ１０７：Ｙｅｓ）、ステップＳ１１２に進む。つまり、制御装置１１０は、例えば、所定時間Ｔａを数カ月単位（例えば、６カ月）に設定することで、所定時間Ｔａを経過している場合には、センサ検出値Ｃｄの長期変動（前述した、経時的な上昇変動又は減少変動）による初期判定値Ｃｊｏの補正を行うか否かを判定するタイミングであるので、次に、長期変動に起因する初期判定値Ｃｊｏの補正を実際に行う必要があるか否かの処理に進む。また、制御装置１１０は、所定時間Ｔａを経過していない場合、センサ検出値Ｃｄの長期変動による初期判定値Ｃｊｏの補正を行うか否かを判定するタイミングでないので、センサ検出値Ｃｄの一時的な増加に対する補正処理を行う。
【００５７】
ステップＳ１０８において、漏洩状態判定部１１５は、ステップＳ１０２で算出したセンサ検出値Ｃｄが、補正判定値Ｃｊｃ以上となる時間が、所定の閾値期間Ｔｔｈ以上継続しているか否かを判定し、継続していると判定した場合（ステップＳ１０８：Ｙｅｓ）、ステップＳ１０９に進み、継続していないと判定した場合（ステップＳ１０８：Ｎｏ）、ステップＳ１０２に戻って、現時刻でのセンサ検出値Ｃｄ（室内２１０における冷媒Ｒの濃度Ｃ）を算出する。
【００５８】
ステップＳ１０９において、漏洩状態判定部１１５は、冷媒Ｒの漏洩が発生していると判定し、判定結果を、出力処理部１１６に送信する。
【００５９】
ステップＳ１１０において、出力処理部１１６は、ディスプレイやスピーカなどの出力装置に対して、冷媒Ｒの漏洩を報知するための制御値を送信し、出力装置により、冷媒Ｒが漏洩しているという警報を報知する。
【００６０】
ステップＳ１１１において、遮断弁５０（５１、５２）の閉弁を行い、または換気装置２３０の駆動による室内２１０の空気の換気を行う。
【００６１】
ここで、判定値補正部１１４は、冷媒検出センサ３０の電源投入後、所定時間Ｔａを経過していると判定した場合（ステップＳ１０７：Ｙｅｓ）、ステップＳ１１２において、センサ検出値Ｃｄの平均値ＣｄＡが、経時的に上昇変動するか否かを判定する。判定値補正部１１４は、センサ検出値Ｃｄの平均値ＣｄＡが、経時的に上昇変動すると判定した場合（ステップＳ１１２：Ｙｅｓ）、ステップＳ１１３に進み、経時的に上昇変動しないと判定した場合（ステップＳ１１２：Ｎｏ）、ステップＳ１１４に進む。
【００６２】
ステップＳ１１３において、判定値補正部１１４は、初期判定値Ｃｄｏにセンサ検出値Ｃｄの平均値ＣｄＡを加算する補正を行うことで補正判定値Ｃｊｃを算出及び設定する。
【００６３】
ステップＳ１１４において、判定値補正部１１４は、センサ検出値Ｃｄの平均値ＣｄＡが、経時的に減少変動するか否かを判定する。判定値補正部１１４は、センサ検出値Ｃｄの平均値ＣｄＡが、経時的に減少変動すると判定した場合（ステップＳ１１４：Ｙｅｓ）、ステップＳ１１５に進み、経時的に減少変動しないと判定した場合（ステップＳ１１４：Ｎｏ）、ステップＳ１０８に戻る。
【００６４】
ステップＳ１１５において、判定値補正部１１４は、初期判定値Ｃｄｏからセンサ検出値Ｃｄの平均値ＣｄＡを減算する補正を行うことで補正判定値Ｃｊｃを算出及び設定する。
【００６５】
以上説明した通り、実施の形態では、
（１）室内機１０と室外機２０との間で熱交換用の冷媒Ｒを循環させるように構成された空気調和機１において、冷媒Ｒの漏洩を検出する冷媒検出センサ３０と、冷媒検出センサ３０のセンサ検出値Ｃｄに応じて、冷媒検出センサ３０が冷媒Ｒの漏洩を検出する初期判定値Ｃｊｏ（検出判定値）を補正する判定値補正部１１４と、を有する構成とした。
【００６６】
また、室内機１０と室外機２０との間で熱交換用の冷媒Ｒを循環させる空気調和機１の制御方法において、冷媒Ｒの漏洩を検出する冷媒漏洩検出ステップ（図６のステップＳ１０２）と、冷媒漏洩検出ステップで検出したセンサ検出値Ｃｄに応じて、冷媒Ｒの漏洩を検出する初期判定値Ｃｊｏを補正する判定値補正ステップ（図６のステップＳ１０６、Ｓ１１３、Ｓ１１５）、を有する構成とした。
【００６７】
このように構成すると、判定値補正部１１４は、冷媒検出センサ３０の経年劣化などにより、冷媒検出センサ３０のセンサ検出値Ｃｄが変動しても、冷媒検出センサ３０のセンサ検出値Ｃｄに応じて初期判定値Ｃｊｏを補正するので、冷媒検出センサ３０のセンサ検出値Ｃｄの変動に影響されず、冷媒Ｒの漏洩を適切に検出することができる。
【００６８】
（２）また、判定値補正部１１４は、冷媒検出センサ３０のセンサ検出値Ｃｄが、時間の経過と共に上昇する場合、冷媒検出センサ３０の初期判定値Ｃｊｏを、センサ検出値Ｃｄに応じて上昇させる補正を行う構成とした。
【００６９】
このように構成すると、判定値補正部１１４は、冷媒検出センサ３０の経年劣化などにより、冷媒検出センサ３０のセンサ検出値Ｃｄが長期的に上昇変動する場合でも、冷媒検出センサ３０のセンサ検出値Ｃｄの上昇変動に応じて、初期判定値Ｃｊｏを上昇させる補正をするので、冷媒検出センサ３０のセンサ検出値Ｃｄの長期的な上昇変動に影響されず、冷媒Ｒの漏洩を適切に検出することができる。
【００７０】
（３）また、判定値補正部１１４は、冷媒検出センサ３０のセンサ検出値Ｃｄが、時間の経過と共に低下する場合、冷媒検出センサ３０の初期判定値Ｃｊｏを、センサ検出値Ｃｄに応じて低下させる補正を行う構成とした。
【００７１】
このように構成すると、判定値補正部１１４は、冷媒検出センサ３０の経年劣化などにより、冷媒検出センサ３０のセンサ検出値Ｃｄが長期的に減少上昇変動する場合でも、冷媒検出センサ３０のセンサ検出値Ｃｄの減少変動に応じて、初期判定値Ｃｊｏを減少させる補正をするので、冷媒検出センサ３０のセンサ検出値Ｃｄの長期的な現象変動に影響されず、冷媒Ｒの漏洩を適切に検出することができる。
【００７２】
（４）また、判定値補正部１１４は、冷媒検出センサ３０のセンサ検出値Ｃｄが、一時的に増加する場合、初期判定値Ｃｊｏを、センサ検出値Ｃｄに応じて増加させる補正を行う構成とした。
（５）さらに、初期判定値Ｃｊｏよりも低い値の第１判定値Ｃｊｏ１と、当該第１判定値Ｃｊｏ１よりも低い値の第２判定値Ｃｊｏ２とを算出する濃度判定値算出部１１３を有し、判定値補正部１１４は、冷媒検出センサ３０のセンサ検出値Ｃｄが、濃度判定値算出部１１３で算出された第１判定値Ｃｊｏ１以上となる期間が閾値期間Ｔｔｈ（第１判定期間）未満であると共に、その後、第２判定値Ｃｊｏ２未満となる場合、センサ検出値Ｃｄに応じて初期判定値Ｃｊｏを補正する構成とした。
【００７３】
このように構成すると、判定値補正部１１４は、冷媒検出センサ３０のセンサ検出値Ｃｄが、長期変動とは異なる一時的な増加（例えば、ヘアスプレーガスの検出による一時的な増加）の場合でも、センサ検出値Ｃｄの一時的な増加（ΔＣｄ１、ΔＣｄ２、ΔＣｄ３）に応じて、初期判定値Ｃｊｏを一時的な増加（ΔＣｄ１、ΔＣｄ２、ΔＣｄ３）分だけ上昇させる補正を行うことで、冷媒Ｒの漏洩を適切に検出することができる。
【００７４】
（６）また、判定値補正部１１４は、冷媒検出センサ３０のセンサ検出値Ｃｄの所定期間における平均値ＣｄＡに応じて、冷媒検出センサ３０が冷媒Ｒの漏洩を検出する初期判定値Ｃｊｏを補正する構成とした。
【００７５】
このように構成すると、判定値補正部１１４は、冷媒検出センサ３０の平均値ＣｄＡに応じて、初期判定値Ｃｊｏを補正するので、冷媒Ｒの漏洩をより精度よく検出することができる。
【００７６】
（７）また、濃度判定値算出部１１３と通信可能に設けられたリモコン４０（操作装置）を有し、許容上限判定値Ｃｊｕ、冷媒検出センサ３０が冷媒Ｒの漏洩を検出する初期判定値Ｃｊｏは、リモコン４０により設定される構成とした。
【００７７】
このように構成すると、遠隔操作可能なリモコン４０を用いて、初期判定値Ｃｊｏを濃度判定値算出部１１３に設定することができ、判定値の設定を容易に行うことができる。
【００７８】
また、本発明は、前述した実施の形態の全ての構成を備えているものに限定されるものではなく、前述した実施の形態の構成の一部を、他の実施の形態の構成に置き換えてもよく、また、前述した実施の形態の構成を、他の実施の形態の構成に置き換えてもよい。
【００７９】
また、前述した実施の形態の一部の構成について、他の実施の形態の構成に追加、削除、置換をしてもよい。
【００８０】
また、上記した実施の形態の構成、機能、処理、手段は、それの一部又は全部を、例えば、集積回路で設計する等により、ハードウェアで実現してもよい。また、前述した構成、機能は、プロセッサがそれぞれの機能を実現するプログラムの実行により実現できるものであってもよい。
このプログラム等の情報は、メモリなどの記憶装置に記憶しておくことができる。
【符号の説明】
【００８１】
１：空気調和機、１０：室内機、１１：記憶装置、１２：通信装置、２０：室外機、３０：冷媒検出センサ、４０：リモコン、５０、５１、５２：遮断弁、６０：冷媒配管、１１０：制御装置、１１１：運転情報取得部、１１２：濃度算出部、１１３：濃度判定値算出部、１１４：判定値補正部、１１５：漏洩状態判定部、１１６：出力処理部、２００：建物、２１０：室内、２２０：室外、２３０：換気装置、Ｒ：冷媒、Ｃｄ：センサ検出値、ＣｄＡ：センサ検出値の平均値、Ｃｊｕ：許容上限判定値、Ｃｊｏ：初期判定値、Ｃｊｏ１：第１判定値、Ｃｊｏ２：第２判定値、Ｃｊｃ：補正判定値
【図１】
0006906680.tif 000002
【図２】
0006906680.tif 000003
【図３】
0006906680.tif 000004
【図４】
0006906680.tif 000005
【図５】
0006906680.tif 000006
【図６】
0006906680.tif 000007